(57)【要約】      （修正有）【課題】落下の危険性のない、壁面玩具及び壁面ツールを提供する。【解決手段】一種または複数種の形状の部材を壁面に磁着し、その部材上で移動対象物を移動させて遊ぶ壁面玩具において、移動対象物が落下しないよう立ち上がり部分、または溝を設けた第一の面１、壁面に磁着する第二の面２、壁面に磁着した際に下面に当たる第三の面３を備えた部材の、第二、第三の面に磁石５１〜５３、６１〜６２を設けることとする。【選択図】図１
0003224431.tif 000002
【実用新案登録請求の範囲】
【請求項１】
一種または複数種の形状の部材を壁面に磁着し、前記部材上で移動対象物を移動させて遊ぶ壁面玩具において、移動対象物が落下しないよう立ち上がり部分、または溝を設けた第一の面、壁面に磁着する第二の面、壁面に磁着した際に下面に当たる第三の面を備えた部材の、第二、第三の面に磁石を設けたことを特徴とする壁面玩具。
【請求項２】
一種または複数種の形状の部材を壁面に磁着し、前記部材上で移動対象物を移動させて遊ぶ壁面玩具において、移動対象物が落下しないよう立ち上がり部分、または溝を設けた第一の面、壁面に磁着する第二の面、壁面に磁着した際に下面に当たる第三の面を備えた部材の、第二の面に磁石を設け、外部に前記磁石が露出しないようにしたことを特徴とする壁面玩具。
【請求項３】
乗載物が落下しないよう立ち上がり部分、または溝を設けた第一の面、壁面に磁着する第二の面、壁面に磁着した際に下面に当たる第三の面を備えた部材において、第二、第三の面に磁石を設けたことを特徴とする壁面ツール。
【考案の詳細な説明】
【技術分野】
【０００１】  本考案は、落下防止の磁石を設けた壁面玩具及び壁面ツールに関する。
【背景技術】
【０００２】  ブロックやレール状の木製パーツを組立てて、ビー玉、ボール、車輪付き汽車等の移動対象物を転がしたり滑らせたりする玩具は、崩れやすかったり、スペースをとり片付けや収納に煩わされたりする傾向にある。これを解消し、壁面でパーツを組み合わせて転がし遊びができる玩具に、Ｌ字状の部材に磁石を設けたもの（非特許文献１）と、台形状の部材に磁石を設けたもの（非特許文献２）が存在する。
【先行技術文献】
【特許文献】
【０００３】
【特許文献１】実開昭６２−６８９５号公報
【特許文献２】実用新案登録第３２１２４８６号公報
【０００４】
【非特許文献１】ｈｔｔｐ：／／ｗｗｗ．ｈｏｌｚｋｕｎｓｔ−ｂｌｏｃｈｅｒ．ｄｅ／ｅｐａｇｅｓ／６４１８０８６９．ｓｆ／ｄｅ＿ＤＥ／？０ｂｊｅｃｔＰａｔｈ＝／Ｓｈｏｐｓ／６４１８０８６９／Ｐｒｏｄｕｃｔｓ／１００３  ［令和１年７月２５日検索］
【非特許文献２】ｈｔｔｐｓ：／／ｗｗｗ．ｓａｔｕｒｄａｙｆａｃｔｏｒｙ．ｃｏｍ／ｐｒｏｄｕｃｔ−ｐａｇｅ／ｓｌｏｗｐｙ−ｍｉｎｉ−ｉｄｅａｓｅｔ  ［令和１年７月２５日検索］
【考案の概要】
【考案が解決しようとする課題】
【０００５】  従来の壁面を利用して転がし遊びをする玩具は落下防止がついていないため、不慮の落下で怪我の危険性や床を傷つけたりする恐れがあった。また、子どもが直接触れる玩具として、磁石が露出しないよう安全性と温もりが求められる。さらに、室内壁面に常設することを考慮すると、玩具としてのみでなく他の用途にも使用できる利便性とインテリアとしての意匠性が求められる。
【課題を解決するための手段】
【０００６】  第一の解決手段は、一種または複数種の形状の部材を壁面に磁着し、前記部材上で移動対象物を移動させて遊ぶ壁面玩具において、移動対象物が落下しないよう立ち上がり部分、または溝を設けた第一の面、壁面に磁着する第二の面、壁面に磁着した際に下面に当たる第三の面を備えた部材の、第二、第三の面に磁石を設けたことを特徴とする。【０００７】  第二の解決手段は、一種または複数種の形状の部材を壁面に磁着し、前記部材上で移動対象物を移動させて遊ぶ壁面玩具において、移動対象物が落下しないよう立ち上がり部分、または溝を設けた第一の面、壁面に磁着する第二の面、壁面に磁着した際に下面に当たる第三の面を備えた部材の、第二の面に磁石を設け、外部に前記磁石が露出しないようにしたことを特徴とする。【０００８】  第三の解決手段は、乗載物が落下しないよう立ち上がり部分、または溝を設けた第一の面、壁面に磁着する第二の面、壁面に磁着した際に下面に当たる第三の面を備えた部材において、第二、第三の面に磁石を設けたことを特徴とする。
【考案の効果】
【０００９】  部材に磁石を設け、壁面に磁着させて転がし遊び等をする玩具は、落下のリスクが避けられないため、落下防止用の磁石を設けることでより安全に遊べるようになる。【００１０】  また、磁石が外部に露出しないようシートや板で被覆したり、部材内部に磁石を埋設することで、磁石に直接触れることなく遊ぶことができる。【００１１】  さらに、壁面に磁着した際、正面にあたる立ち上がり部分に意匠を施すことでデザイン性を兼ね備え、インテリアとして常時、室内壁面に設置することもできる。【００１２】  玩具としてのみでなく、掲示物をとめたり小物を置いたりでき、壁面ツールとしての利便性が得られる。
【図面の簡単な説明】
【００１３】
【図１】本考案の実施形態を示す図。
【図２】本考案の実施形態を示す図。
【図３】本考案の実施形態を示す図。
【図４】本考案の実施形態を示す写真。
【図５】本考案の落下防止を示す写真。
【図６】本考案の使用例を示す写真。
【考案を実施するための形態】
【００１４】  本考案の壁面玩具及び壁面ツールを図に基づいて説明する。なお、本考案は以下に示される実施形態に限定されない。図１〜図４ではＬ字断面、Ｕ字断面、コの字断面の部材を用いているが、対象物が転落しないように立ち上がりや溝を施した壁面玩具の部材に関わる。また、磁石の形状及び個数も限定されない。
【００１５】  図１ａ）は本考案の壁面玩具及び壁面ツールの構造を示したものである。実施形態はＬ字状を備えている。面２（第二の面）に穴をあけ接着剤を入れ磁石５１〜５３を埋設する。磁石５１〜５３は面２（第二の面）をシート７で覆うことにより、安全性と意匠性とを兼ね備える。次に下面である面３（第三の面）に穴をあけ接着剤を入れ磁石６１〜６２を埋設する。磁石６１〜６２は部材本体の落下防止の役割をする。磁石の形状や個数は限定されない。なお、部材の素材は木、プラスティック、金属等が想定されるが、これも限定されない。
【００１６】  図１ｂ）は面３（第三の面）方向から見た図である。磁石６１〜６２はシート８で覆うものとする。磁石５１〜５３を覆うことを目的としてシート７を貼付し、磁石６１〜６２を覆うことを目的としてシート８を貼付しているが、シートの形状、大きさ、色、素材等は図に示される実施形態に限定されるものではない。
【００１７】  図２ａ）では、図１の実施形態において面３（第三の面）に埋設した円柱状の磁石の代わりに、マグネットシートを用いている。図２ｂ）では、コの字断面を備えた部材を用いたことを示す図である。Ｌ字断面を備えた図１の部材同様、面２（第二の面）に穴をあけ接着剤を入れ磁石５１〜５３を埋設する。次に隣接する面３（第三の面）に穴をあけ接着剤を入れ磁石６１〜６２を埋設する。加えて正面側の面４に穴をあけ磁石を埋設することもできる。この場合、左右の面のどちらもボードに磁着させることができ、遊びの幅が広がる。図１，図２のＬ字形状の部材同様、埋設した磁石をシートで覆うことにより、安全性と意匠性とを兼ね備える。
【００１８】  図３ａ）ｂ）のように、単体の磁石５を面２（第二の面），面３（第三の面）の両面に設けることもできる。磁石は複数箇所に区切って設けてもよい。
【００１９】  図４ａ）〜図６ｂ）は、本考案の壁面玩具及び壁面ツールに埋設された磁石を示す写真である。ａ）ｃ）ｅ）はＬ字断面、ｂ）ｄ）ｆ）はＵ字断面の形状を示す。図４ａ）ｂ）に示す写真の磁石は、壁面に付けるものである。ｂ）ｃ）に示す写真の磁石は、落下防止用の磁石である。ｄ）ｅ）の写真は、壁面に付ける磁石と落下防止用の磁石の位置関係を示す。本考案の壁面玩具及び壁面ツールは、図１における面２（第二の面）をマグネットボード等につけると、磁石５１〜５２の磁力により壁面に付く。この状態で移動対象物を転がしたり、小物を置いたり、掲示物を貼ったりして使用する。本体に負荷がかかり面２（第二の面）がマグネットボード等から離脱した場合には、磁石６１〜６２の磁力により、即座に面３（第三の面）がボードに付き、本体の落下を防ぐ。
【００２０】  図５ａ）は本考案の壁面玩具及び壁面ツールをマグネットボードに磁着した際の斜め側面の写真である。図５ｂ）の写真は落下防止が働いたことを示す。本体に負荷がかかり図１における面２（第二の面）がボードから離脱したため、磁石６１〜６２の磁力により、即座に面３（第三の面）がボードにつき、本体の落下を防いだことを示す。
【００２１】  図６ａ）ｂ）は本考案の壁面玩具としての使用例である。図１における面２（第二の面）をマグネットボード等に磁着させ、面１（第一の面）の上にビー玉等を転がして遊ぶことができる。意匠を施すことによりインテリア性を兼ね備えることもできる。
【００２２】  図６ｃ）は壁面ツールとしての使用例である。面２（第二の面）をボード等に付けて紙等をとめたり、面１（第一の面）に小物を置いたりできる。
【符号の説明】
【００２３】    １  面
２  面
３  面
４  面
５  磁石
５１〜５３  磁石
６１〜６２  磁石
７  シート
８  シート
【図１】
0003224431.tif 000003
【図２】
0003224431.tif 000004
【図３】
0003224431.tif 000005
【図４】
0003224431.tif 000006
【図５】
0003224431.tif 000007
【図６】
0003224431.tif 000008